(57)【要約】【課題】自転車のハンドルに取り付けられたカップホルダーの取り付け角度に寄らず、簡単な構造でカップを略垂直に保持する。【解決手段】カップホルダー１００は、エラストマー等の弾性材料で形成され、上面に開口部を有するとともに底面を有する中空の略円筒状の外形形状を備え、カップが開口部から挿入され底面の複数のフィン部１１６がそれぞれ弾性変形してカップの側面を保持する弾性保持部１１０と、この弾性保持部１１０よりも硬質の材料（たとえばポリプロピレン）で形成され、弾性保持部１１０の外周面１１４に嵌合する内周面１３２を備え、弾性保持部１１０と一体化される硬質保持部１３０とを備える。【選択図】図１
2016130050.tif 000002
【特許請求の範囲】
【請求項１】
飲料が入った容器を保持する飲料容器ホルダーであって、
弾性材料で形成され、上面に開口部を有するとともに底面を有する中空の略円筒状または略角柱状の外形形状を備え、前記容器が前記開口部から挿入され前記底面が弾性変形して前記容器の側面を保持する弾性保持部と、
前記弾性保持部よりも硬質の材料で形成され、前記外形形状の側面に嵌合する内面形状を備え、前記弾性保持部と一体化される硬質保持部とを備え、
前記硬質保持部の外周側に一体的に形成された、被係止物に係止される係止部を備える、飲料容器ホルダー。
【請求項２】
前記弾性保持部の底面は一部が切り欠かれた形状を備え、前記容器が前記開口部から挿入されることにより前記一部以外の部分が弾性変形して前記容器の側面を保持する、請求項１に記載の飲料容器ホルダー。
【請求項３】
前記弾性保持部の底面は対称形状の切欠部を備え、前記容器が前記開口部から挿入されることにより前記切欠部以外の対称形状のフィン部が弾性変形して前記容器の側面を保持する、請求項１に記載の飲料容器ホルダー。
【請求項４】
前記弾性保持部の底面は対称形状の複数のフィン部を備え、前記飲料容器ホルダーが斜めである場合に、前記容器が前記開口部から略垂直に挿入されることにより各前記フィン部が他のフィン部とは異なる形状に弾性変形することにより前記容器の側面を前記異なる形状で保持する、請求項３に記載の飲料容器ホルダー。
【請求項５】
前記底面が弾性変形して前記容器を略垂直に保持する、請求項１〜請求項４のいずれかに記載の飲料容器ホルダー。
【発明の詳細な説明】
【技術分野】
【０００１】
本発明は、自転車またはオートバイのハンドル、自動車のエアコン吹き出し口のルーバー等の被係止物に係止され、飲料が収納された容器を保持する飲料容器ホルダーに関し、特に、被係止物に係止された飲料容器ホルダーの角度に寄らず、簡単な構造で飲料容器を略垂直に保持する（飲料が収納された容器が紙製のカップである場合においてカップ開口面が略垂直上方に開口する一定姿勢を維持する）ことのできる飲料容器ホルダーに関する。
【背景技術】
【０００２】
自転車またはオートバイに取り付けることにより、運転者が常に飲料容器を片手に持ち続ける必要をなくし、片手運転の不便および危険性を解消することができる飲料容器ホルダーが、実用新案登録第３０１０８８２号公報（特許文献１）、実用新案登録第３０６７７６２号公報（特許文献２）に開示されている。
また、このような飲料容器ホルダーを自動車に適用したものとして、自動車の冷暖気噴出し口（ダッシュボード前面に設けられたエアコン噴出し口のルーバー）に取り付け、その噴出し口より放出される冷気または暖気によって飲料容器を冷却または加温する自動車用ドリンクホルダーが、実用新案登録第２５７２８００号公報（特許文献３）に開示されている。
【先行技術文献】
【特許文献】
【０００３】
【特許文献１】実用新案登録第３０１０８８２号公報
【特許文献２】実用新案登録第３０６７７６２号公報
【特許文献３】実用新案登録第２５７２８００号公報
【発明の概要】
【発明が解決しようとする課題】
【０００４】
しかしながら、上述した特許文献に開示されたドリンクホルダーでは以下に示すような問題がある。
特許文献１に開示された飲料容器ホルダーを自転車のハンドル部に取り付ける場合には、取付部の上片および下片を開いてその間にハンドル部を挟み上片および下片とハンドル部とを密接させ、上片および下片の両先端部に形成されたボルト挿入用の孔にボルトを挿入し下方からナットを螺合させ締め付け固定する。この場合において、飲料容器内の飲料がこぼれないようにするためには、ハンドルの傾きに合わせてこの飲料容器ホルダーに収納される飲料容器が略垂直になるように取り付けなければならない。さらに、たとえ、そのように取り付けることができたとしても、使用中に自転車の振動による螺合の緩み等により取付部がハンドル周りに回動して、収納される飲料容器が略垂直にならずに斜めになると飲料容器内の飲料がこぼれてしまう。
【０００５】
このような問題に対して、特許文献２に開示された自転車用小物入れ（小物の一例として飲料缶が開示）は、上方が開口する収容カップと、収容カップの上部に固定され、自転車のハンドルアームに上から引っ掛けて係止する係止体と、収容カップの下部に固定され、自転車のハンドルステムに係合して収容カップの姿勢を一定に保持する姿勢保持体とを具備する。このように収容カップおよび係止体に加えて、ハンドルアーム回りの回転を規制し収容カップが上方に開口する一定姿勢に維持する姿勢保持体を設けている。より具体的には、姿勢保持体のハンドルステムとの当接面はハンドルステムの傾斜に合わせて形成してあり、姿勢保持体をハンドルステムに係合させたときに収容カップが真っ直ぐに起立した一定姿勢に保持するようになっている。このため、
＜第１の問題点＞収容カップおよび係止体に加えて別部材の姿勢保持体が必要になり取り付け作業が面倒かつ製品価格が高くなる、
＜第２の問題点＞この姿勢保持体はハンドルステムの傾斜に合わせて形成された当接面を備えなければならず、多種多様なハンドルの形状に合わせた多種多様な姿勢保持体が必要
になる、
＜第３の問題点＞ハンドルの形状が異なる別の自転車に代えると（姿勢保持体も代えない限り）収容カップが真っ直ぐに起立した一定姿勢を維持できなくなる、
が存在する。
【０００６】
特許文献３に開示された自動車用ドリンクホルダーは、エアコンの冷気または暖気によって飲料容器を冷却または加温できる点で好ましい。その取り付けについては、予め水平方向の位置調整がされているクリップを冷暖気噴出し口のルーバーに挟着することにより取り付けられる。ここで、ルーバーは通常風向を変えるために回動可能に設置されているため、ホルダー本体の後面下部付近（底板の後縁）に形成された当接部を冷暖気噴出し口またはその周辺部（ダッシュボード）と当接させることにより、一定の姿勢（好ましくは水平）に支持されて取り付けると特許文献３には記載されている。しかしながら、このように自動車用ドリンクホルダーを取り付けたのでは、冷暖気噴出し口またはその周辺部（ダッシュボード）の傾斜角度により自動車用ドリンクホルダー取り付け角度が決定されてしまうために、ホルダー本体が傾いて取り付けられてしまうことが多い。このような問題を解決するために上述した特許文献２のような姿勢保持体を設けることも考えられるが、上述した＜第１の問題点＞〜＜第３の問題点＞と同一または類似する問題点が存在する。
【０００７】
本発明は、従来技術の上述の問題点に鑑みて開発されたものであり、その目的とするところは、被係止物（自転車またはオートバイのハンドル、自動車のエアコン吹き出し口のルーバー等）に係止して取り付けられた飲料容器ホルダーの角度に寄らず、簡単な構造で飲料容器を略垂直に保持する（飲料が収納された容器が紙製のカップである場合においてカップ開口面が略垂直上方に開口する一定姿勢を維持する）ことのできる飲料容器ホルダーを提供することである。
【課題を解決するための手段】
【０００８】
上記目的を達成するため、本発明に係る、飲料容器ホルダーは以下の技術的手段を講じている。
すなわち、この飲料容器ホルダーは、飲料が入った容器を保持する。この飲料容器ホルダーは、弾性材料で形成され、上面に開口部を有するとともに底面を有する中空の略円筒状または略角柱状の外形形状を備え、前記容器が前記開口部から挿入され前記底面が弾性変形して前記容器の側面を保持する弾性保持部と、前記弾性保持部よりも硬質の材料で形成され、前記外形形状の側面に嵌合する内面形状を備え、前記弾性保持部と一体化される硬質保持部とを備える。この前記硬質保持部の外周側に一体的に形成された、被係止物に係止される係止部を備える。
【０００９】
好ましくは、前記弾性保持部の底面は一部が切り欠かれた形状を備え、前記容器が前記開口部から挿入されることにより前記一部以外の部分が弾性変形して前記容器の側面を保持するように構成することができる。
さらに好ましくは、前記弾性保持部の底面は対称形状の切欠部を備え、前記容器が前記開口部から挿入されることにより前記切欠部以外の対称形状のフィン部が弾性変形して前記容器の側面を保持するように構成することができる。
【００１０】
さらに好ましくは、前記弾性保持部の底面は対称形状の複数のフィン部を備え、前記飲料容器ホルダーが斜めである場合に、前記容器が前記開口部から略垂直に挿入されることにより各前記フィン部が他のフィン部とは異なる形状に弾性変形することにより前記容器の側面を前記異なる形状で保持するように構成することができる。
さらに好ましくは、前記底面が弾性変形して前記容器を略垂直に保持するように構成することができる。
【発明の効果】
【００１１】
本発明の飲料容器ホルダーによれば、被係止物（自転車またはオートバイのハンドル、自動車のエアコン吹き出し口のルーバー等）に係止して取り付けられた飲料容器ホルダーの角度に寄らず、簡単な構造で飲料容器を略垂直に保持する（飲料が収納された容器が紙製のカップである場合においてカップ開口面が略垂直上方に開口する一定姿勢を維持する）ことができる飲料容器ホルダーを提供することができる。
【図面の簡単な説明】
【００１２】
【図１】本発明の実施の形態に係る飲料容器ホルダー（カップホルダー）についての（Ａ）斜視図、（Ｂ）側面図、（Ｃ）弾性保持部の斜視図、（Ｄ）硬質保持部の斜視図である。
【図２】図１（Ｃ）の弾性保持部についての（Ａ）上面図、（Ｂ）側面図、（Ｃ）第１の変形例の上面図、（Ｄ）第２の変形例の上面図である。
【図３】図１（Ｄ）の硬質保持部についての（Ａ）上面図、（Ｂ）側面図、（Ｃ）下面図である。
【図４】図１の飲料容器ホルダー（カップホルダー）を自転車のハンドルに装着した状態を示す斜視図である。
【図５】図１の飲料容器ホルダー（カップホルダー）の使用態様を説明するための側面図である。
【発明を実施するための形態】
【００１３】
以下、本発明の実施の形態に係る飲料容器ホルダー（以下においてカップホルダーと記載する場合がある）１００を、図面に基づき詳しく説明する。なお、以下においては、被係止物が自転車のハンドルであるとして自転車のハンドルに紙製のカップや樹脂製のカップを保持するカップホルダー１００を取り付ける場合について説明するが、本発明に係る飲料容器ホルダーはオートバイのハンドルに取り付けても構わない。また、特許文献３に開示された自動車用ドリンクホルダーのホルダー本体に代えて本発明に係る飲料容器ホルダーを採用し、本発明に係る飲料容器ホルダーに特許文献３に開示された一対の係合部材（クリップ）を設けてこの係合部材を自動車の冷暖気噴出し口の所定のルーバーに挟着することにより、本発明に係る飲料容器ホルダーを自動車に取り付けるようにしても構わない。この場合、被係止物はルーバーであって、係止部は一対の係合部材（クリップ）である。
【００１４】
さらに、被係止物はこれらのハンドル、ルーバーに限定されるものではなく、本発明に係る飲料容器ホルダーの係止部を介して係止できる対象物であればいかなる被係止物であっても構わない。さらに、飲料容器は、紙製のカップや樹脂製のカップに限定されるものではなく（カップに着脱自在に取り付けられる蓋の有無も限定されない）、飲料缶であっても紙製パックであっても構わない。
【００１５】
［カップホルダー構造］
以下において、図１〜図５を参照して、本実施の形態に係るカップホルダー１００の構造について説明する。ここで、図１〜図３は、カップホルダー１００またはカップホルダー１００を構成する弾性保持部１１０および硬質保持部１３０についての斜視図または三面図であって、図４および図５はカップホルダー１００の使用態様を示す図である。さらに詳しくは、このカップホルダー１００について、図１（Ａ）にその斜視図を、図１（Ｂ）にその側面図を、図１（Ｃ）に弾性保持部１１０の斜視図を、図１（Ｄ）に硬質保持部１３０の斜視図を、それぞれ示す。また、この弾性保持部１１０について、図２（Ａ）にその上面図を、図２（Ｂ）にその側面図を、図２（Ｃ）に弾性保持部についての第１の変形例の上面図を、図２（Ｄ）に弾性保持部についての第２の変形例の上面図を、それぞれ示す。また、この硬質保持部１３０について、図３（Ａ）にその上面図を、図３（Ｂ）にその側面図を、図３（Ｃ）にその下面図を、それぞれ示す。
【００１６】
これらの図１〜図３に示すカップホルダー１００は、図４の斜視図に示すように自転車のハンドルＨに取り付けられる。詳しくは後述するが、図５に示すように、被係止物である自転車のハンドルＨに係止して取り付けられたカップホルダー１００の角度に寄らず、飲料容器を略垂直に保持する（飲料が収納された容器が紙製のカップＣである場合においてカップ開口面が略垂直上方に開口する一定姿勢を維持してカップ開口面が略水平を維持する）ことができる。
【００１７】
これらの図に示すように、このカップホルダー１００は、図４に示すように、自転車のハンドルＨに取り付けられて、飲料が入った容器（代表的にはコーヒーショップやコンビニエンスストア等でテイクアウト販売されている蓋付きのカップＣ）を保持する。
このカップホルダー１００は、エラストマー等の弾性材料で形成され、上面に開口部を有するとともに底面（この底面はフィン部１１６および切欠部１１８で構成される）を有する中空の略円筒状（または略角柱状であっても構わない）の外形形状を備え、カップＣが開口部から挿入され底面のフィン部１１６が弾性変形してカップＣの側面を保持する弾性保持部１１０と、この弾性保持部１１０よりも硬質の材料（たとえばポリプロピレン）で形成され、弾性保持部１１０の外周面１１４に嵌合する内周面１３２を備え、弾性保持部１１０と一体化される硬質保持部１３０とを備える。弾性保持部１１０は大略的には中空円筒形状を備え、弾性保持部１１０の周壁は上方に広がったテーパを備えた内周面１１２および外周面１１４で構成される。硬質保持部１３０も大略的には中空円筒形状を備え、硬質保持部１３０の周壁は上方に広がったテーパを備えた内周面１３２および外周面１３４で構成される。なお、弾性保持部１１０の内周面１１２の下側断面積は、カップＣの上側断面積よりも小さいことが好ましく、このようにすれば、カップＣがカップホルダー１００から抜け落ちることがない。また、後述する使用方法を実現するために、カップＣの径に対してカップホルダー１００の内径は比較的余裕を持たせている。
【００１８】
カップホルダー１００は、図１（Ｃ）に示す弾性保持部１１０の外周面１１４と図１（Ｄ）に示す硬質保持部１３０の内周面１３２とが嵌合されて一体化されている。２部品を一体化してカップホルダー１００を形成する方法は特に限定されるものではなく、弾性保持部１１０および硬質保持部１３０とそれぞれ射出成形等で別々に製造した後に嵌合させて一体化させても構わないし、２色成形により製造するようにしても構わない。
【００１９】
なお、図１および図３に示すように、硬質保持部１３０の外周面１３４側には、硬質保持部１３０と一体的に形成された、被係止物に係止される係止部１３４を備える。この係止部１３４は、自転車のハンドルＨの断面形状が円形状であることに鑑みて構成されたものであって、その円形状の直径に合致させた系を備えた係止穴１４０と、係止穴１４０を構成する上片にはなべ小ねじ等のねじ部材が挿入される穴１３６および係止穴１４０を構成する下片にはなべ小ねじ等のねじ部材に螺合する六角ナットを回転不可能に保持する六角穴１３８がそれぞれ設けられている。自転車のハンドルＨにカップホルダー１００を取り付ける場合には、上片および下片を開いて係止穴１４０を広げて係止穴１４０にハンドルＨを挟み、なべ小ねじ等のねじ部材を穴１３６に挿入して、六角穴１３８に六角ナットを嵌合させて、なべ小ねじと六角ナットとを螺合させて係止穴１４０をハンドルＨに締め付け固定する。なお、なべ小ねじは、弾性保持部１１０に設けられた切片１２０により隠される。
【００２０】
大略的にこのような構造を備えたカップホルダー１００は、弾性保持部１１０の底面を構成するフィン部１１６が弾性変形してカップＣの姿勢が略垂直になるように、フィン部１１６がカップＣの側面を保持することを特徴とする。この特徴について以下に説明する。
図１（Ｃ）および図２に示すように、弾性保持部１１０の底面は一部が切り欠かれた形状を備える。弾性保持部１１０の底面は、切欠部１１８とそれ以外のフィン部１１６とで構成される。そして、カップＣが開口部から挿入されることにより切り欠かれた一部である切欠部１１８以外のフィン部１１６が弾性変形してカップＣの側面を保持する。
【００２１】
この場合において、このフィン部１１６（切欠部１１８）は、図２（Ａ）に示すように対称形状の切欠部１１８を備え、この切欠部１１８以外の対称形状のフィン部１１６を備えるようにしても構わないし、対称形状でなくても構わない。なお、フィン部１１６の個数は３個以上であることが好ましい。このため、図２（Ａ）に示すように本実施の形態に係るカップホルダー１００の弾性保持部１１０が４個のフィン部１１６を備えるものに限定されるものではなく、かつ、フィン部１１６の形状に限定されるものでもない。
【００２２】
たとえば、第１の変形例として図２（Ｃ）に示す弾性保持部２１０が８個のフィン部２１６（切欠部２１８）を備えるものであってもよく、そのフィン部２１６の形状もフィン部１１６の形状と異なるものであってもよい。さらに、第２の変形例として図２（Ｄ）に示す弾性保持部３１０が４個のフィン部３１６（切欠部３１８）を備えるものであってもよく、そのフィン部３１６の形状もフィン部１１６およびフィン部２１６の形状と異なる
ものであってもよい。第２の変形例においては、切欠部３１８を設けているが、この切欠部３１８は単なる切断線であっても構わない。
【００２３】
いずれの弾性保持部においても、図２（Ｂ）に示すように、フィン部１１６は、弾性保持部の周壁（内周面１１２および外周面１１４で構成）から連続して形成され、断面視でＬ字状に折れ曲がり、底面（上述したようにこの底面はフィン部１１６および切欠部１１８で構成される）を構成している。このような複数のフィン部１１６を備え、カップホルダー１００が斜めである場合に、カップＣが略垂直に挿入されることにより各フィン部１１６が他のフィン部１１６とは異なる形状に弾性変形するために、カップＣの側面を各フィン部１１６がそれぞれ異なる形状で保持する。このようにして、フィン部１１６および切欠部１１８で構成される弾性保持部１１０の底面が弾性変形してカップＣを略垂直に保持する。
【００２４】
［使用方法］
以上のような構造を備える本実施の形態に係るカップホルダー１００の使用方法を図４および図５を参照して説明する。
図４に示すように、自転車のハンドルＨは必ずしも地面に水平ではなく、デザイン上の理由から多くの場合、自転車のハンドルＨは地面に水平でなく、かつ、複雑な曲線で構成されている。このようなハンドルＨに上述した方法でカップホルダー１００の角度を考慮することなく取り付けると、図４に示すようにカップホルダー１００の垂直軸Ｈ（１）−Ｈ（２）（以下においてＨ軸と記載する場合がある）が垂直にならない。本実施の形態に係るカップホルダー１００はこのように取り付けられた場合であっても、カップＣを略垂直に保持する（カップＣの開口面が略垂直上方に開口する一定姿勢を維持してカップ開口面が略水平を維持する）ことができる。
【００２５】
図５（Ａ）に示すように、カップホルダー１００の垂直軸Ｈ（１）−Ｈ（２）が略垂直である場合に、カップホルダー１００にカップＣを挿入すると、カップホルダー１００の垂直軸Ｃ（１）−Ｃ（２）（以下においてＣ軸と記載する場合がある）も略垂直となる。この場合において、全てのフィン１１６（ここではフィン部１１６Ａおよびフィン部１１６Ｂで代表させている）が略同じように弾性変形している。
【００２６】
ところが、図５（Ｂ）または図５（Ｃ）に示すように、カップホルダー１００の垂直軸Ｈ（１）−Ｈ（２）が略垂直でない場合に、カップホルダー１００にカップＣを挿入する。この場合において、全てのフィン１１６が略同じように弾性変形してしまうと図５（Ａ）に示すようになり、カップＣは斜めになる（図５の紙面を斜めに傾けた場合の図５（Ａ））。
【００２７】
しかしながら、カップホルダー１００の垂直軸Ｈ（１）−Ｈ（２）が略垂直でない場合に、カップホルダー１００にカップＣを挿入する場合に、カップホルダー１００が斜めであることを挿入者が意識して、カップホルダー１００の水平面が下がっている方向においてカップＣをあまり挿入させないで、かつ、カップホルダー１００の水平面が上がっている方向においてカップＣをより深く挿入させる。カップホルダー１００が斜めである場合には、このようにカップＣをカップホルダー１００に挿入する。
【００２８】
そうすると、図５（Ｂ）に示すように、カップホルダー１００の水平面が下がっている方向のフィン部１１６ＡにおいてカップＣをあまり挿入させない状態でのフィン部１１６Ａの弾性変形の形状と、カップホルダー１００の水平面が上がっている方向のフィン部１１６ＢにおいてカップＣをより深く挿入させた状態でのフィン部１１６Ｂの弾性変形の形状とが異なり、カップＣのＣ軸を略垂直に維持することができるようになる。また、図５（Ｃ）に示すように、カップホルダー１００の水平面が下がっている方向のフィン部１１６ＢにおいてカップＣをあまり挿入させない状態でのフィン部１１６Ｂの弾性変形の形状と、カップホルダー１００の水平面が上がっている方向のフィン部１１６ＡにおいてカップＣをより深く挿入させた状態でのフィン部１１６Ａの弾性変形の形状とが異なり、カップＣのＣ軸を略垂直に維持することができるようになる。
【００２９】
以上のようにして、本実施の形態に係るカップホルダー１００によると、カップホルダー１００のＨ軸が略垂直でない場合に、カップホルダー１００の水平面が下がっている方
向においてカップＣをあまり挿入させないで、かつ、カップホルダー１００の水平面が上がっている方向においてカップＣをより深く挿入させることにより、カップホルダー１００のフィン部１１６Ａが他のフィン部Ｂとは異なる形状に弾性変形するのでカップＣの側面を各フィン部が異なる形状で保持して、カップＣのＣ軸を略垂直に維持することができる。その結果、被係止物（ここでは自転車のハンドル）に係止して取り付けられたカップホルダー１００の取り付け角度に寄らず、簡単な構造でカップＣを略垂直に保持する（カップＣの開口面が略垂直上方に開口する一定姿勢を維持してカップ開口面が略水平を維持する）ことができ、飲料がこぼれることがない。
【００３０】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、本発明の飲料容器ホルダーの係止部に指を挿入して立食パーティ用の飲料容器ホルダーとすることも、さらにこのような使用態様において本発明の飲料容器ホルダーの硬質保持部に食べ物を載置する皿部をさらに設けるようにして立食パーティ用の飲食物ホルダーとすることも、特許請求の範囲内における変更である。
【産業上の利用可能性】
【００３１】
本発明は、飲料容器を保持する点で好適であり、被係止物（自転車またはオートバイのハンドル、自動車のエアコン吹き出し口のルーバー等）に係止して取り付けられた飲料容器ホルダーの角度に寄らず、簡単な構造で飲料容器を略垂直に保持する（飲料が収納された容器が紙製のカップである場合においてカップ開口面が略垂直上方に開口する一定姿勢を維持する）ことができる点で特に好適である。
【符号の説明】
【００３２】
１００  カップホルダー
１１０、２１０、３１０  弾性保持部
１１６、２１６、３１６  フィン部
１１８、２１８、３１８  切欠部
１３０  硬質保持部
【図１】
2016130050.tif 000003
【図２】
2016130050.tif 000004
【図３】
2016130050.tif 000005
【図４】
2016130050.tif 000006
【図５】
2016130050.tif 000007